(57)【要約】【課題】本発明は、従来にない作用効果を発揮する画期的な極めて商品価値の高い画期的な観賞水草体及びその生産方法を提供することを目的とする。【解決手段】所定長に切断した有茎草３が基体１に設けられ、この有茎草３は固定具４により前記基体１に固定されたものである。【選択図】図４
2008113567.tif 000002
【特許請求の範囲】
【請求項１】
所定長に切断した有茎草が基体に設けられ、この有茎草は固定具により前記基体に固定されていることを特徴とする観賞水草体。
【請求項２】
請求項１記載の観賞水草体において、前記有茎草と共に根生草が固定されていることを特徴とする観賞水草体。
【請求項３】
請求項１〜２いずれか１項に記載の観賞水草体において、前記有茎草は節を含んだものであることを特徴とする観賞水草体。
【請求項４】
所定長に切断した根生草が基体に設けられ、この根生草は固定具により前記基体に固定されていることを特徴とする観賞水草体。
【請求項５】
請求項１〜４いずれか１項に記載の観賞水草体において、前記基体は保水性を有し、水中で沈降するものであることを特徴とする観賞水草体。
【請求項６】
請求項１〜５いずれか１項に記載の観賞水草体において、前記基体は、ピートモスを任意の形状に形成して構成され、この基体には重りが設けられていることを特徴とする観賞水草体。
【請求項７】
請求項１〜６いずれか１項に記載の観賞水草体において、前記固定具は糸や網等の細紐体であることを特徴とする観賞水草体。
【請求項８】
基体の表面に適当長さに切断した有茎草を配設し、続いて、この有茎草を糸や網などの細紐状の固定具により前記基体に固定し、前記有茎草から芽を出させて観賞水草体を生産することを特徴とする観賞水草体の生産方法。
【請求項９】
請求項８記載の観賞水草体の生産方法において、前記有茎草と共に根生草を固定することを特徴とする観賞水草体の生産方法。
【請求項１０】
請求項８，９いずれか１項に記載の観賞水草体の生産方法において、前記有茎草は節を含んだものであることを特徴とする観賞水草体の生産方法。
【請求項１１】
基体の表面に適当長さに切断した根生草を配設し、続いて、この根生草を糸や網などの細紐状の固定具により前記基体に固定し、前記根生草から芽を出させて観賞水草体を生産することを特徴とする観賞水草体の生産方法。
【請求項１２】
請求項８〜１１いずれか１項に記載の観賞水草体の生産方法において、前記基体は保水性を有し、水中で沈降するものであることを特徴とする観賞水草体の生産方法。
【請求項１３】
請求項８〜１２いずれか１項に記載の観賞水草体の生産方法において、前記基体は、ピートモスを任意の形状に形成して構成され、この基体には重りが設けられていることを特徴とする観賞水草体の生産方法。
【発明の詳細な説明】
【技術分野】
【０００１】
本発明は、例えば水槽内に配して観賞するための観賞水草体及びその生産方法に関するものである。
【背景技術】
【０００２】
近年、水草をインテリアとして楽しむ人が益々増えている。
【０００３】
ところで、水草の観賞は、例えば特開平１１−２５３０６４号に開示されるように、水槽の底部に砂を敷き、続いて、この砂に水草を植え付け、続いて、水槽内に水を入れ、育った水草を観賞するというのが一般的である（水草が育つ過程においてもその様子は変わり、この変わる様子も楽しむことができる。）。
【０００４】
しかしながら、前述した観賞水草を得るには、水槽の底部に敷かれた砂に対して一本ずつ水草を植え付けなければならず面倒であり、しかも、水槽内に水を入れた際に植え付けた水草が抜けてしまう場合があるなど、熟練者でないと観賞水草を植えるのは困難であり、時間と手間がかかる厄介な作業であった。
【０００５】
【特許文献１】特開平１１−２５３０６４号公報
【発明の開示】
【発明が解決しようとする課題】
【０００６】
そこで、本発明者は、このような問題点を解決すべく、単に水槽内に配するだけでよい観賞水草体（以下、従来例）を開発した。
【０００７】
具体的には、この従来例は、ピートモス（水草が堆積して腐葉土となったもの）を塊状に形成した基体の周囲に水草を植え付け、この水草がある程度育ったら販売するというものであり、この従来例であれば、例えば一般ユーザーはこの観賞水草体を購入し、水槽の底部に複数並べて水を入れるだけで良いことになり、よって、一般ユーザーは前述したような厄介な作業を行う必要はなく簡易に水草を楽しむことができる。
【０００８】
ところがその反面、従来例を製造販売する者にとっては、基体に対して一本ずつ水草を植え付ける作業が必要となり、この従来例を一つ一つ製造しなければならず、作業負担が増えるため、量産性が悪く且つコスト高となってしまう。
【０００９】
本発明は、この従来例について更なる研究開発を進めた結果、一般ユーザー及び製造販売する者双方に生じる上記問題を解決した極めて商品価値の高い画期的な観賞水草体及びその生産方法を提供するものである。
【課題を解決するための手段】
【００１０】
添付図面を参照して本発明の要旨を説明する。
【００１１】
所定長に切断した有茎草３が基体１に設けられ、この有茎草３は固定具４により前記基体１に固定されていることを特徴とする観賞水草体に係るものである。
【００１２】
また、請求項１記載の観賞水草体において、前記有茎草３と共に根生草５が固定されていることを特徴とする観賞水草体に係るものである。
【００１３】
また、請求項１〜２いずれか１項に記載の観賞水草体において、前記有茎草３は節３ａを含んだものであることを特徴とする観賞水草体に係るものである。
【００１４】
また、所定長に切断した根生草５が基体１に設けられ、この根生草５は固定具４により前記基体１に固定されていることを特徴とする観賞水草体に係るものである。
【００１５】
また、請求項１〜４いずれか１項に記載の観賞水草体において、前記基体１は保水性を有し、水中で沈降するものであることを特徴とする観賞水草体に係るものである。
【００１６】
また、請求項１〜５いずれか１項に記載の観賞水草体において、前記基体１は、ピートモスを任意の形状に形成して構成され、この基体１には重り２が設けられていることを特徴とする観賞水草体に係るものである。
【００１７】
また、請求項１〜６いずれか１項に記載の観賞水草体において、前記固定具４は糸４ａや網等の細紐体であることを特徴とする観賞水草体に係るものである。
【００１８】
また、基体１の表面に適当長さに切断した有茎草３を配設し、続いて、この有茎草３を糸４ａや網などの細紐状の固定具４により前記基体１に固定し、前記有茎草３から芽を出させて観賞水草体を生産することを特徴とする観賞水草体の生産方法に係るものである。
【００１９】
また、請求項８記載の観賞水草体の生産方法において、前記有茎草３と共に根生草５を固定することを特徴とする観賞水草体の生産方法に係るものである。
【００２０】
また、請求項８，９いずれか１項に記載の観賞水草体の生産方法において、前記有茎草３は節３ａを含んだものであることを特徴とする観賞水草体の生産方法に係るものである。
【００２１】
また、基体１の表面に適当長さに切断した根生草５を配設し、続いて、この根生草５を糸４ａや網などの細紐状の固定具４により前記基体１に固定し、前記根生草５から芽を出させて観賞水草体を生産することを特徴とする観賞水草体の生産方法に係るものである。
【００２２】
また、請求項８〜１１いずれか１項に記載の観賞水草体の生産方法において、前記基体１は保水性を有し、水中で沈降するものであることを特徴とする観賞水草体の生産方法に係るものである。
【００２３】
また、請求項８〜１２いずれか１項に記載の観賞水草体の生産方法において、前記基体１は、ピートモスを任意の形状に形成して構成され、この基体１には重り２が設けられていることを特徴とする観賞水草体の生産方法に係るものである。
【発明の効果】
【００２４】
本発明は上述のように構成したから、例えば単に水槽内に並べるだけで誰でも簡易に水草を楽しめることになり、しかも、前述した従来例に比し、製造販売する者にも一切の負担が生じない量産性に秀れ且つコスト安に製造することができるなど、極めて商品価値の高い画期的な観賞水草体及びその生産方法となる。
【発明を実施するための最良の形態】
【００２５】
好適と考える本発明の実施形態を、図面に基づいて本発明の作用を示して簡単に説明する。
【００２６】
観賞に供すべく実際に水草を育てる場合、例えば本発明に係る観賞水草体を水槽の底部に並べるとともに水槽内に水を入れ、水草が育つのを待てば、この成長した水草によって水槽内に美しい自然の造形が形成される。また、製造販売する者がある程度水草が育った状態で本発明に係る観賞水草体を販売すれば、購入する者はこの観賞水草体を水槽内に配するだけで水草を楽しむことができる。
【００２７】
ところで、本発明は、所定長に切断した有茎草３が基体１に設けられ、この有茎草３は固定具４により前記基体１に固定される構成であり、この構成から量産性に秀れ且つコスト安な観賞水草体が得られることになる。
【００２８】
具体的には、本発明は、基体１に設けられる水草として有茎草３を採用しており、この有茎草３は図５，図８に図示したように一本の長い茎３ｂに何箇所もある節３ａから根や芽が生える性質の水草である。従って、この有茎草３を所定長に切断すると、必ず茎３ｂのどこかに節３ａが残り、よって、有茎草３を単に切断し基体１に設けるだけで観賞水草体が得られ、従来例のように基体１に一本一本水草を植える必要がなく、しかも、この所定長に切断した有茎草３を基体１の表面に適宜配して固定具４で固定するだけで本発明に係る観賞水草体は完成することになるから（基体１から有茎草３が落ちない程度に固定されていれば良いから）、この点においても量産性に秀れることになり、ひいてはコスト安となる。
【実施例】
【００２９】
本発明の具体的な実施例について図面に基づいて説明する。
【００３０】
本実施例は、所定長に切断した有茎草３が基体１に設けられ、この有茎草３は固定具４により前記基体１に固定されているものである。
【００３１】
以下、本実施例に係る構成各部について詳細な説明をする。
【００３２】
基体１は、図１〜３に図示したように適度な保水性を有するピートモスを塊状（直径９ｃｍ，高さ５ｃｍの球状）に形成して構成されている。尚、基体１を構成する素材はピートモスに限られるものではなく、また、基体１の形状は薄板状や立法形状であっても良い。
【００３３】
また、基体１の内部には石製の重り２が配されており、該基体１は水中で沈降するように構成されている。
【００３４】
有茎草３は、図５に図示したように１本の長い茎３ｂの複数箇所に節３ａを有するものであり、節３ａから根や芽が生える性質の水草である。
【００３５】
ちなみに、有茎草３の代表的な属を示すと、ロタラ（Rotala）属、ルドウィジア（Ludwigia）属、ミリオフィラム（Myriophyllum）属、ハイグロフィラ（Hygrophila）属、ポゴステモン（Pogostemon）属、オランダプラント等バコパ（Bacopa）属、ヘミアントゥス（Hemianthus）属、パールグラス等リムノフィラ（Limnophila）属、ポリゴナム（Polygonum）属、アルテルナンテラ（Alternanthera）属、アマニア（Ammannia)属、ネサエア（Nesaea）属、ホトニア（Hottonia）属、リシマキア（Lysimachia）属、カボンバ（Cabomba）属、ポタモゲトン（Potamogeton）属、カルダミネ（Cardamine）属、リムノフィラ（Limnophila）属など多数の属があり、それぞれの属に複数の種がある。
【００３６】
また、基体１に設ける水草として有茎草３と共に根生草５を設けても良い。
【００３７】
この根生草５は、図６に図示したように草５ｂに一つだけ有する株根５ａから芽が生える性質、図７に図示したようにライナーを伸ばしてその先に新しい株根５ａが生える性質を有する水草である。
【００３８】
ちなみに、根生草５の代表的な属を示すと、クリプトコリネ（Cryptocoryne）属、エキノドルス（Echinodorus）属、バリスネリア（Vallisneria）属、サジタリア（Sagittaria）属、エレオカリス（Eleocharis）属、ヘアーグラス等シペルス（Cyperus）属、アポノゲトン（Aponogeton）属、アヌビアス（Anubias）属などがあり、それぞれの属に複数の種がある。
【００３９】
尚、有茎草３や根生草５の他にも、這うように増殖する性質を有する苔類や根生草５に似た性質を有するシダ類など複数種類の水草を切断して混ぜあわせたものを基体１に固定しても良い。
【００４０】
固定具４は、図１，３に図示したように細紐体としてのナイロン製の黒い撚糸からなる糸４ａで構成されており、基体１の表面に配された水草を外側から網状に巻きつけることで縛着し、固定する。
【００４１】
以上の構成からなる本実施例に係る観賞水草体の生産方法について説明する。尚、本実施例では基体１に設ける水草として複数種類の有茎草３と共に根生草５も採用している。
【００４２】
先ず、図５（ａ），図６（ａ），図７（ａ）に図示したように有茎草３及び根生草５を所定長さに切断する。尚、符号Ｓは切断線である。
【００４３】
この有茎草３及び根生草５は、切り揃える必要はなく、適当な長さにザク切りすれば良く、各水草の成育の点及び固定具４で固定する点を考慮すると、１ｃｍから６ｃｍ程度の長さが良いと考えられる。
【００４４】
続いて、図８（ａ）に図示したように所定長に切断した有茎草３及び根生草５を適当に混ぜる。
【００４５】
続いて、図２，図８（ｂ）に図示したように基体１の底部以外の表面に該表面が覆われるように有茎草３及び根生草５を配する。
【００４６】
続いて、図３，図８（ｃ）に図示したように固定具４としての糸４ａで外側から巻きつけて縛着し、基体１に対して有茎草３及び根生草５を固定して完成する。
【００４７】
以上のようにして生産された観賞水草体は、有茎草３及び根生草５がある程度伸びて成長するまで（出荷されるまで）、水上にて育成する。具体的には、観賞水草体Ａを金網に載置し、この観賞水草体Ａに光を当て、朝夕散水することで水分補給を行って育成する。夏の場合は３週間程度、冬の場合は１．５ヶ月程度で出荷に適する程度に有茎草３及び根生草５は成長する。
【００４８】
この有茎草３及び根生草５をある程度成長させた観賞水草体は製品として流通し、この観賞水草体を購入した一般ユーザーが観賞に供すべく実際に水草を育てる場合、図９に図示したように水槽６の底部に観賞水草体を任意の数、任意の位置に配置すると共に水槽６内に水Ｗを入れ（この際、観賞水草体は重り２の荷重も作用して水Ｗに浮き上がることは無い）、後は有茎草３及び根生草５が育つのを待つことで、この成長した有茎草３及び根生草５によって水槽６内に美しい自然の造形が形成される。
【００４９】
本実施例は上述のように構成したから、単に水槽６内に並べるだけで誰でも簡易に水草を楽しめることになり、しかも、前述した従来例に比し、量産性に秀れ且つコスト安に生産することができることになる。
【００５０】
また、本実施例は、複数種類の有茎草３と共に根生草５が設けられているから、様々な種類の水草が混栽された観賞水草体となり、一風変わったインテリア性に秀れたものができるのは勿論、その時期に合わせて何が生えてくるかが分らないといった楽しみ方もできることになる。
【００５１】
また、本実施例は、基体１は保水性を有し、水中で沈降するものであるから、例えば水槽６に配した後に該水槽６内に水Ｗを入れる場合など、水Ｗの勢いや浮力で観賞水草体が動いてしまうことが可及的に防止されることになる為、ユーザーが決めた任意のレイアウトが崩れることがなく良好な観賞水草体の配置状態が得られることになる。
【００５２】
また、本実施例は、固定具４は糸４ａや網等の細紐体であるから、簡易且つ確実に基体１に有茎草３及び根生草５を縛着固定することができ、しかも、この有茎草３及び根生草５を固定するものとして何ら特別なものではないからコスト安に製造することができる。
【００５３】
尚、本発明は、本実施例に限られるものではなく、各構成要件の具体的構成は適宜設計し得るものである。
【図面の簡単な説明】
【００５４】
【図１】本実施例に係る観賞水草体を示す斜視図である。
【図２】本実施例に係る要部の説明断面図である。
【図３】本実施例に係る観賞水草体を説明する正面図である。
【図４】本実施例に係る観賞水草体が生産された状態を示す斜視図である。
【図５】本実施例に係る有茎草３の説明図である。
【図６】本実施例に係る根生草５の説明図である。
【図７】本実施例に係る根生草５の説明図である。
【図８】本実施例に係る観賞水草体の生産工程説明図である。
【図９】本実施例に係る観賞水草体を観賞に供すべく水草を育てた状態を説明する正面図である。
【符号の説明】
【００５５】
１  基体
２  重り
３  有茎草
３ａ  節
４  固定具
４ａ  糸
５  根生草
【図１】
2008113567.tif 000003
【図２】
2008113567.tif 000004
【図３】
2008113567.tif 000005
【図４】
2008113567.tif 000006
【図５】
2008113567.tif 000007
【図６】
2008113567.tif 000008
【図７】
2008113567.tif 000009
【図８】
2008113567.tif 000010
【図９】
2008113567.tif 000011